(57)【特許請求の範囲】
【請求項１】
光ファイバケーブルを構成する複数の光ファイバユニットチューブのうち、一度に一本の光ファイバユニットチューブの中間部に曲げ部を付与し、この曲げ部から光の一部を漏洩させて光ファイバ心線の対照を行う光ファイバ心線対照装置であって、
光ファイバユニットチューブを曲げる箇所の両側を把持し、所望の曲率を有する凹形の押圧受け部を備える把持具と、
前記押圧受け部の曲率に合致する、凸形の曲率付与部を備える曲げ付与具と、
前記把持具で把持された光ファイバユニットチューブを前記所望の曲率に曲げるように、前記光ファイバユニットチューブに前記曲率付与部を押圧する押圧手段とを備え、
光ファイバユニットチューブは、前記曲率付与部により押圧されて前記押圧受け部と前記曲率付与部によって挟持された結果、前記所望の曲率で曲げられ、更に、前記把持具が前記光ファイバユニットチューブを把持する強さは、把持された前記光ファイバユニットチューブに前記曲率付与部を押圧した際に、前記光ファイバユニットチューブが張力を受けて滑り、前記所望の曲率に変形する強さであることを特徴とする光ファイバ心線対照装置。
【発明の詳細な説明】
【０００１】
【発明の属する技術分野】
本発明は、光ファイバケーブルの切替、移転作業時などで使用される光ファイバ心線対照装置に関する。
【０００２】
【従来の技術】
光ファイバケーブルの線路の切替、移転などの作業時には、光ファイバケーブルを構成する複数の光ファイバ心線のうち、どれが目的の光ファイバ心線に該当するか、識別、対照を行う必要がある。従来、対照しようとする光ファイバ心線の一方の端部から参照光を入射し、その後、対照したい光ファイバ心線に所定の曲率の曲げを与え、その曲げ部から漏洩する光を検知する方法（ローカル・ディテクション法）により、光ファイバ心線の対照を行っている。この方法では、伝送特性に影響を与えずに、光ファイバ心線対照を行うことができる。
【０００３】
【発明が解決しようとする課題】
ところで、光ファイバケーブルがユニットチューブ型光ファイバケーブル（ユニットチューブ内に光ファイバ心線を収容したもの）である場合には、１本または複数本の光ファイバ心線を収容したユニットチューブを曲げることにより、その中の光ファイバ心線に所定の曲率の曲げ部を付与している。しかしながら、光ファイバ心線を直接曲げる場合に比して、ユニットチューブは変形抵抗が大きく、曲げに要する応力が大きいため、ユニットチューブ内の光ファイバ心線を所定の曲率に曲げることが困難であるという問題があった。
【０００４】
【課題を解決するための手段】
本発明は上記問題点を解決すべくなされたもので、光ファイバケーブルを構成する複数の光ファイバユニットチューブのうち、一度に一本の光ファイバユニットチューブの中間部に曲げ部を付与し、この曲げ部から光の一部を漏洩させて光ファイバ心線の対照を行う光ファイバ心線対照装置であって、光ファイバユニットチューブを曲げる箇所の両側を把持し、所望の曲率を有する凹形の押圧受け部を備える把持具と、前記押圧受け部の曲率に合致する、凸形の曲率付与部を備える曲げ付与具と、前記把持具で把持された光ファイバユニットチューブを前記所望の曲率に曲げるように、前記光ファイバユニットチューブに前記曲率付与部を押圧する押圧手段とを備え、光ファイバユニットチューブは、前記曲率付与部により押圧されて前記押圧受け部と前記曲率付与部によって挟持された結果、前記所望の曲率で曲げられ、更に、前記把持具が前記光ファイバユニットチューブを把持する強さは、把持された前記光ファイバユニットチューブに前記曲率付与部を押圧した際に、前記光ファイバユニットチューブが張力を受けて滑り、前記所望の曲率に変形する強さであることを特徴とするものである。
【０００５】
上述のような構造の光ファイバ心線対照装置では、光ファイバ心線が大きな曲げ応力を要するユニットチューブに収容されている場合でも、ユニットチューブを把持具で把持した状態で、曲げ付与具を押圧手段でユニットチューブに押圧するため、変形抵抗の大きなユニットチューブに十分な曲げ応力を加えることができるので、光ファイバ心線に所望の曲率の曲げ部を確実に、かつ容易に付与することができる。
【０００６】
【発明の実施の形態】
以下、図面に基づいて本発明の実施の形態を詳細に説明する。
図１（ａ）〜（ｃ）は、本発明にかかる光ファイバ心線対照装置の一実施形態の把持具を示す図である。
把持具１０は、把持具本体１１と押さえ板１２からなる。把持具本体１１の両側には、光ファイバ心線を収容したユニットチューブ１を通す溝１３が互いに対向するように設けられている。溝１３に収められたユニットチューブ１は、上側からつまみネジ１４を締めつけることにより、押さえ板１２と溝１３とで把持される。従って、つまみネジ１４の締めつけ具合で、ユニットチューブ１の把持強度を変えることができる。また、把持具本体１１にはユニットチューブ１に付与する所望の曲率を有する凹形の押圧受け部１５が設けられている。なお、１６はガイド穴であり、後述するガイドロッド２３をガイドするためのものである。
【０００７】
図２（ａ）〜（ｃ）は上記実施形態の曲げ付与具を示す図である。
曲げ付与具２０は、前記押圧受け部１５の曲率に合致する凸形の曲率付与部２１を有する。該曲率付与部２１にはユニットチューブ１を嵌め込む溝２２が押圧受け部１５と同じ曲率をなすように形成されている。
なお、２３はガイドロッド、２４は細長い板の片側に歯を刻んだラックである。
【０００８】
図３（ａ）、（ｂ）は、本実施形態の光ファイバ心線対照装置の全体を示す図である。
装置本体３０は上カバー３１と下カバー３２とからなり、内部には光ファイバ心線の曲げ部からの漏洩光の受光系（図示されず）が内蔵されている。
把持具１０は装置本体３０の片側に取り付けられている。
曲げ付与具２０は、２本のガイドロッド２３が把持具１０のガイド穴１６に滑動可能に挿通されて、曲率付与部２１が把持具１０の押圧受け部１５に嵌合するように、かつ溝２２と把持具１０で把持されたユニットチューブ１が同一面上に位置するように位置決めされている。
また、曲げ付与具２０に取り付けられたラック２４は、装置本体３０内に挿入されて、装置本体３０内に取り付けられたウォームギア３３と噛み合っている。３４はウォームギア３３を回転させるローラー部である。これらラック２４、ウォームギア３３およびローラー部３４は、曲げ付与具２０をユニットチューブ１に押圧する押圧手段を構成する。
【０００９】
この押圧手段は以下のように作動する。即ち、図示しないモータあるいは他の手段によりローラー部３４を反時計回りに回転すると、ウォームギア３３が回転し、ラック２４が右方向に引っ張られ、ガイドロッド２３がガイド穴１６に入り込んで、曲げ付与具２０が把持具１０に接近し、最終的には曲率付与部２１が押圧受け部１５に嵌合する。この状態で、ユニットチューブ１およびそれに収納された光ファイバ心線には所望の曲率の曲げ部が付与される。また、ローラー部３４を時計回りに回転すると、ウォームギア３３が逆に回転し、ラック２４が左方向に押しだされ、ガイドロッド２３がガイド穴１６から抜かれて、曲げ付与具２０が把持具１０から離間する。
【００１０】
本実施形態の光ファイバ心線対照装置を用いて、光ファイバ心線の対照は以下のように行う。即ち、
１）図３において、曲げ付与具２０が把持具１０から離間した状態で、光ファイバ心線を収容したユニットチューブ１を対向する溝１３、１３に通し、つまみネジ１４を締めて上から押さえ板１２でユニットチューブ１を適切に押さえ、ユニットチューブ１を直線状に張った状態で把持する。
２）次いで、ローラー部３４を反時計回りに回転し、曲げ付与具２０を右方向へ（図３において）動かし、把持具１０に接近させる。そうすると、ユニットチューブ１は曲げ付与具２０の曲率付与部２１の溝２２に嵌まり、その曲率で曲げられて右側に押し出され、遂には、曲率付与部２１と押圧受け部１５に挟まれ、曲率付与部２１と押圧受け部１５のなす曲率で曲げられた状態になる。
上述のように、本実施形態の光ファイバ心線対照装置を用いると、変形抵抗の大きなユニットチューブに収容された光ファイバ心線をも曲げ付与具で確実に、かつ容易に所望の曲率で曲げることができる。
【００１１】
なお、前述のように、つまみネジ１４を締めて押さえ板１２でユニットチューブ１を適切な強さで押さえ、把持したが、この適切な強さとは、把持されたユニットチューブ１を曲率付与部２１で右側に押圧した際に、ユニットチューブ１が張力を受けて押さえ板１２と把持具本体１１の間を滑り、また曲げ応力を受けて曲率付与部２１の溝２２に嵌まって、その曲率で変形するような強さである。
このユニットチューブ１を把持する強さが弱いと、ユニットチューブ１には十分な張力が加わらず、変形抵抗の大きなユニットチューブ１は直線状に張らず、溝２２に確実に嵌まらなくなる。また、逆に把持する強さが強すぎると、ユニットチューブ１を完全に固定してしまい、把持されたユニットチューブ１を曲率付与部２１で押圧しても、ユニットチューブ１が撓まず、曲げ部を付与することができなくなる。
【００１２】
【発明の効果】
以上説明したように本発明によれば、変形抵抗の大きなユニットチューブに収容された光ファイバ心線を所定の曲率に確実に、かつ容易に曲げることができるという優れた効果がある。
【図面の簡単な説明】
【図１】（ａ）、（ｂ）、（ｃ）はそれぞれ、本発明に係る光ファイバ心線対照装置の一実施形態の把持具の正面図、側面図および底面図である。
【図２】（ａ）、（ｂ）、（ｃ）はそれぞれ、上記実施形態の曲げ付与具の正面図、側面図および底面図である。
【図３】（ａ）、（ｂ）は、上記本実施形態の全体を示す正面図および底面図である。
【符号の説明】
１            ユニットチューブ
１０            把持具
１１            把持具本体
１２            押さえ板
１３            溝
１４            つまみネジ
１５            押圧受け部
１６            ガイド穴
２０            曲げ付与具
２１            曲率付与部
２２            溝
２３            ガイドロッド
２４            ラック
３０            装置本体
３１            上カバー
３２            下カバー
【図１】
0003901823.tif 000002
【図２】
0003901823.tif 000003
【図３】
0003901823.tif 000004